(57)【特許請求の範囲】
【請求項１】
メイソンリーブロック排水システムであって、
重合体材料、紙、金属、ガラスまたはそれらの組み合わせから作られていて１番目の主要面と前記１番目の主要面に相対する２番目の主要面を有する一般的に連続したシート本体を含んで成っていて、垂直に伸びる空洞部を中に少なくとも１つ有するメイソンリーブロックを水封するシート様防水片であるが、前記１番目の主要面が前記防水片シート本体を垂直に伸びるメイソンリーブロック空洞部を横切るように密封様式で付着させる感圧接着剤層を有しかつまた前記２番目の主要面が排水用部材を前記防水片連続シート本体に付着させる感圧接着剤層も有するシート様防水片、および
織り生地または不織生地を含んで成りかつ前記防水片シート本体の幅より狭い幅を間に限定している１番目の縦方向縁と２番目の縦方向縁を有していて前記シート様防水片の前記２番目の主要面に付着している排水用部材であるが、この排水用部材が前記防水片シート本体の一部を覆っていないことでその部分が前記排水用部材の前記１番目および２番目の縦方向縁に沿って流し込まれるモルタルと結合する露出部分を与えるように前記シート様防水片に付着している排水用部材を少なくとも１つ、および
前記排水用部材内の水が前記防水片シート本体から排出され得るように前記少なくとも１つの排水用部材に接触している水抜き用部材を少なくとも１つ、
含んで成る排水システム。
【請求項２】
前記感圧接着剤層の少なくとも１層が歴青質材料、非歴青質合成材料またはそれらの混合物を含んで成っていて前記感圧接着剤層の前記少なくとも１層が前記防水片シート本体の上に連続層の形態で与えられている請求項１記載の排水システム。
【請求項３】
前記生地部材が不織生地を含んで成る請求項１記載の排水システム。
【請求項４】
前記少なくとも１つの水抜き用部材が前記排水用部材に一体的に連結している請求項１記載の排水システム。
【請求項５】
前記少なくとも１つの水抜き用部材が前記防水片シート本体から離れて位置する本体を含んで成る請求項１記載の排水システム。
【請求項６】
前記少なくとも１つの排水用生地部材に接触している複数の水抜き用部材を含んで成る請求項１記載の排水システム。
【請求項７】
前記防水片が更に前記感圧接着剤層の１層に剥離様式で付着している保護剥離シートも含んで成る請求項１記載の排水システム。
【請求項８】
前記排水用部材が前記生地を前記防水片本体から離して位置させるための開放コア部材を含んで成る請求項１記載の排水システム。
【請求項９】
前記少なくとも１つの排水用生地部材が不織生地を含んで成りそして前記部材が更に前記不織生地が付着するくぼみを有する開放コア部材も含んで成っていて前記開放コア部材が前記不織生地を前記防水片の２番目の面から離して位置させる働きをする請求項８記載の排水システム。
【請求項１０】
前記少なくとも１つの排水用部材が前記防水片にそれらの間の相対的移動に対抗するように前記２番目の主要面に付着させた前記感圧接着剤層で接着している請求項１記載の排水システム。
【請求項１１】
前記防水片が重合体シートとこれの相対する主要面に付着している不織生地を含んで成る請求項１記載の排水システム。
【請求項１２】
前記不織生地が前記相対する主要面に前記感圧接着剤層で接着している請求項１１記載の排水システム。
【請求項１３】
前記感圧接着剤層の少なくとも１層が更に保護被覆層も含んで成っていて前記接着剤層および被覆層が前記被覆層に接触させて位置させて硬化させる新鮮なモルタルと結合する働きをする請求項１記載の排水システム。
【請求項１４】
前記防水片本体の前記２番目の主要面に付着している前記感圧接着剤が保護被覆層で覆われている請求項１３記載の排水システム。
【請求項１５】
前記防水片本体に沿って間隔を置いて位置する複数の水抜き用部材を含んで成る請求項１記載の排水システム。
【請求項１６】
前記防水片が巻き取り可能である請求項１記載の排水システム。
【請求項１７】
前記少なくとも１つの水抜き用部材が生地、ロープ、管組織、スポンジ、重合体またはそれらの組み合わせを含んで成る請求項１記載の排水システム。
【請求項１８】
前記キーイング構造物が前記防水片シート本体の上に接着している不織生地を含んで成る請求項２記載の排水システム。
【請求項１９】
前記キーイング構造物が前記防水片シート本体に連結している繊維を含んで成る請求項２記載の排水システム。
【請求項２０】
前記排水用生地部材が前記防水片の前記２番目の主要面に隣接して伸びる一般に細長いシート様本体を含んで成る請求項２記載の排水システム。
【請求項２１】
前記防水片が重合体シートとこれの相対する主要面に付着している防水接着剤を含んで成る請求項１記載の排水システム。
【請求項２２】
前記防水片が重合体シートとこれの一方の主要面に付着している不織生地とそれのもう一方の主要面に付着している防水接着剤を含んで成る請求項１記載の排水システム。
【請求項２３】
メイソンリー壁排水システムであって、垂直に配向している空洞部を有する１番目の層のメイソンリーブロックと前記１番目の層の前記メイソンリーブロックの上部に接着している請求項１記載のメイソンリーブロック排水システムを含んで成るメイソンリー壁排水システム。
【請求項２４】
メイソンリーブロックに排水を与える方法であって、垂直に伸びる空洞部を有するメイソンリーブロックを少なくとも１つ準備しそして請求項１記載のメイソンリーブロック排水システムをこれが前記空洞部の上に来るように前記メイソンリーブロックに付着させることを含んで成る方法。
【発明の詳細な説明】
【０００１】
（発明の分野）
本発明は、メイソンリー（組積）ブロック（ｍａｓｏｎｒｙ  ｂｌｏｃｋ）壁の内側空洞部内の浸透水（ｓｅｅｐａｇｅ  ｗａｔｅｒ）を集めてそれを前記内側空洞部から排出させてメイソンリーブロック空洞部の外側位置に追い返すための排水システム（ｄｒａｉｎａｇｅ  ｓｙｓｔｅｍ）に関する。
【０００２】
（発明の背景）
メイソンリーブロックでは、壁の外側に存在する水がブロック間の連結部を通ってか或はブロック自身を通って中心空洞部の中に入り込むことが良く知られている。水がブロック空洞部の中に入り込むと、それが浸透して建物の内部に入り込んで水分問題が生じる傾向がある。前記ブロックの内部およびそれらの表面に水が存在していると内側および外側の壁仕上げが損傷を受ける可能性がある。
【０００３】
水がメイソンリーブロックの壁を浸透することに関する問題を解決する試みがいくつか行われてきた。例えば、ある人は、水がブロック空洞部の内部から砂利床に排出された後にドレインタイル（ｄｒａｉｎ  ｔｉｌｅ）の中に入り込むようにする開口部を持たせたブロックを下層（ｂｏｔｔｏｍ  ｃｏｕｒｓｅ）に用いることを試みた。そのようなシステムがＳｃａｒｆｏｎｅの米国特許第４，３３３，２８１号およびＢｅｖｉｌａｃｑｕａの米国特許第４，６１２，７４２号に開示されている。
【０００４】
他の人は、水が横方向に排出されて隣接するブロックの中に入り込むことを可能にする相互連結横方向スロットを持たせたブロックを下層に置くことを通して浸透問題を解決する試みを行った。その水は、その後、Ｐａｒｅｚｏの米国特許第３，５６２，９８２号に示されているように、ブロックの１つから伸びているドレインパイプを通してか、或はＣｏｓｅｎｚａの米国特許第４，４８６，９８６号に示されているように、水が砂利床に続いてドレインタイルに向かうようにする下層ブロック内の開口部を通して、ブロック壁の外側に排出される。
【０００５】
他の人は、水が砂利床に取り込まれた後にその水がドレインタイルに向かうようにする薄いベント（ｖｅｎｔ）構造物を下層ブロックの下側に位置させることを通してメイソンリーブロックの排水問題を解決する試みを行った。そのようなシステムがＫｏｅｓｔｅｒの米国特許第４，３８１，６０３号に示されている。
【０００６】
上述した排水システムの１つの欠点は、ブロック空洞部内の水を前記空洞部を通して下方に排出させようとする時にそれがブロック内側の空洞部の壁に接触してそこを通り抜けるのを防止しない点にある。上方層（ｕｐｐｅｒ  ｃｏｕｒｓｅ）から下方層に流れる水は内側空洞部の壁に沿って下方に流れる必要があり、それによって、前記壁は水で飽和状態になり、最終的に、建物の内側および外側表面に浸透してしまう。このような問題を回避する１つの方法は、Ｈｅｎｄｅｒｓｏｎの米国特許第２，１４７，０３５号に開示されているように、穴が中央部に開いているタール紙をブロック内の鉛直空洞部を横切らせて挿入することで外側壁からの浸透を空洞部の中心部に向けると言った方法であった。その浸透水は、次に、下層のメイソンリーブロックの所で排出された後、この水はブロック内の穴を通って外側およびまた内側に向かってフロアスラブ（ｆｌｏｏｒ  ｓｌａｂ）の下方に行き得る。
【０００７】
更に、上述した排水システムの多くが有する別の欠点は、排出される水が建物の内側部分から離れた建物外側に向かうのではなく建物の内側に向かう点にある。そのようなシステムを用いると、壁および建物構造の下側に存在する地面の飽和が助長される。それらは取り付けが困難でありかつ前記構造物の下側に位置する砂利床およびドレインパイプに行きづらくしている。
【０００８】
上述した排水システムの多く（大部分でないにしても）が有する別の問題は、ブロック空洞部の水が下層以外のレベル（ｌｅｖｅｌ）の所には集まらない点にある。その結果として、上方層の所でブロック壁の中に入り込んだ水は内部空洞部の壁に沿って下方に流れてそれが排出される前に下層の中に入り込んでしまうに違いない。このような事が起こると、水は本質的にブロックに接触しかつそれを浸透して建物の内側に入り込んでしまう。従って、Ｐａｒｄｕｅの米国特許第４，９１０，９３１号には、上方の収集用鍋に集められた水が前記鍋に開けられた排出用開口部から下方ブロック層（ｌｏｗｅｒ  ｂｌｏｃｋ  ｃｏｕｒｓｅ）内の鉛直ブロック空洞部を通って下方に位置する次の組の収集用鍋に排出されるようにするいつ流管（ｄｏｗｎｓｐｏｕｔｓ）を有する上方水収集用鍋が備わっているシステムを用いることが開示された。前記上方鍋から前記鉛直ブロック空洞部を通って排出されてきた水は、その後、最も下方に位置する組の基部収集用鍋に集められた後、この基部収集用鍋内の水は水抜き用いつ流管（ｗｅｅｐｉｎｇ  ｓｐｏｕｔｓ）（これは前記基部収集用鍋から横方向に突き出ている）によって壁の外側に向けられる。しかしながら、このような種類の排水鍋システムが有する困難さの１つは、前記鍋とメイソンリーブロック空洞部の形状を互いに一致させる必要がある点にある。言い換えれば、前記排水システムの鍋および他の部分をそれらが個々のメイソンリーブロックの形状、特に空洞部の寸法に合致するように作成する必要がある。それによって、しばしば、メイソンリー取り付け者（ｍａｓｏｎｒｙ  ａｐｐｌｉｃａｔｏｒ）はメイソンリーブロック構造に合致するように正確に合致する排水システム具（ｄｒａｉｎａｇｅ  ｓｙｓｔｅｍ  ｄｅｖｉｃｅｓ）を得ることに注意を払う必要があると言ったかなりの不便さが存在する。
【０００９】
このような従来技術の欠点を鑑み、新規な独創的メイソンリーブロック排水システムが求められている。
【００１０】
（発明の要約）
本発明は、そのような従来技術の欠点を克服する目的で、製造および使用が容易で便利な新規なシート様メイソンリーブロック排水システムを提供する。
【００１１】
本発明の典型的なメイソンリーブロック排水システムは、鉛直に伸びる空洞部を中に少なくとも１つ有するメイソンリーブロックを水封（ｗａｔｅｒ−ｓｅａｌｉｎｇ）するシート様防水片と排水用生地部材（ｄｒａｉｎａｇｅ  ｆａｂｒｉｃ  ｍｅｍｂｅｒ）を少なくとも１つと前記少なくとも１つの排水用生地部材から水を排出させる水抜き用部材（ｗｅｅｐ  ｍｅｍｂｅｒ）を少なくとも１つ含んで成る。
【００１２】
前記防水片は、好適には、メイソンリーブロックの鉛直に伸びる空洞部に水が入り込むのを防止するに充分な幅を有する巻き取り可能（ｒｏｌｌａｂｌｅ）シートであり、これはポリオレフィンまたは他の材料で作られていてもよい。典型的な防水片は、メイソンリーブロック空洞部の回りに防水シール（ｓｅａｌ）を与える手段、例えば防水接着剤、またはメイソンリーブロックの上部に付着させる新鮮なモルタルとの結合（ｂｏｎｄ）を与えるキーイング構造物（ｋｅｙｉｎｇ  ｓｔｒｕｃｔｕｒｅ）などを有する。前記排水用生地部材を好適には接着剤で前記防水片に接着させるか或は前記片の中に埋め込み、それによって、浸透水が水抜き用部材（これらを好適には前記防水片の側面に沿ってある間隔で位置させる）を通して排出されることを可能にする。水は前記排水用生地部材からメイソンリーブロック空洞部の外側位置に排出される。
【００１３】
本明細書に記述するメイソンリーブロック排水具およびシステム（ｄｅｖｉｃｅ  ａｎｄ  ｓｙｓｔｅｍｓ）を好適には巻き取り可能にし、その結果として、これらは比較的容易に取り付け現場に輸送可能で取り付け可能である。従って、前記防水片および排水用生地部材の幅はこれを現場で容易に取り付けることができるように裁断などで比較的容易に調整可能である。本メイソンリー排水システムは、しばしば、多数種の標準的幅で製造可能でありかついろいろな形状のメイソンリーブロックに取り付け可能である。一般的には前記防水片部材と一緒に伸びるようにしかつ好適にはそれに接着または他の様式で付着させた排水用生地部材を用いることから、浸透水を集めて２つ以上の水抜き用部材に分配することができる。このことは、実際、排水速度が速くなりかついくつかの水抜き用部材が埃、くずまたはメイソンリーモルタルなどで詰まった時でも浸透水がモルタルブロックの空洞部から排出されることを可能にすることを意味することから有益である。
【００１４】
本発明の別の利点は、メイソンリーブロックに開けた穴または成形した穴を用いなくてもまた複雑で高価な排水用パイプも構造物もメイソンリーブロック空洞部内にも各メイソンリーブロック層の下方にも最下部層の下方にも置かないで１つのメイソンリーブロック空洞部から別の空洞部への横方向の浸透水移行を達成することができる点にある。本発明のさらなる特徴および利点を本明細書の以下に示す。
【００１５】
（典型的な態様の詳細な説明）
添付図を参照することで本発明の好適な態様の詳細な説明の理解が容易になるであろう。
【００１６】
図１に示すように、本発明の典型的なメイソンリーブロック排水システム１０は、建設現場で巻き戻して鉛直に伸びる（または配向する）空洞部８を有するある層の（ａ  ｃｏｕｒｓｅ  ｏｆ）メイソンリーブロック６の上に直接接着させることができる便利なロール形態１１で提供可能である。メイソンリーブロックは典型的に壁および他の建物構造物を作り出す時に用いられる。
【００１７】
典型的なメイソンリーブロック排水システム１０は、一般に平面に広がるシート本体を有する防水片１２を含んで成り、前記シート本体は、前記片１２の縦方向に伸びるロール縁１４と１６の間に広がる１番目の主要面（これは取り付け時に下方に面する）と２番目の主要面（これは示すように取り付け時に上方に位置する）を有する。
【００１８】
前記排水複合具（ｄｒａｉｎａｇｅ  ｃｏｍｐｏｓｉｔｅ  ｄｅｖｉｃｅ）１０をメイソンリーブロックの上部に付着させる、従って水が前記ブロックの鉛直空洞部８の中に入り込むことがないようにする目的で、前記典型的な防水片１２に、前記メイソンリーブロック６の空洞部８の回りを水封する手段、例えば防水感圧接着剤１８などを持たせ、これを前記防水片１２の前記１番目の面に接着させる。従って、前記片の本体シート１２の幅は、前記ブロック空洞部８の幅よりも若干広くなければならず、好適には前記片１２をブロック６の上部に取り付けた後にモルタルを前記片の側面に沿って付着させることを通して前記メイソンリーブロック層（ｃｏｕｒｓｅ）を次のメイソンリーブロック層に接着させることができるように、メイソンリーブロック６の幅よりも狭くすべきである。
【００１９】
前記防水片１２は、好適には、プラスチック、紙、金属、ガラスまたはそれらの組み合わせで作られている連続シートである。好適には、ポリオレフィン、例えばポリエチレンまたはポリプロピレンなどを用いる。ポリオレフィンシート材料を歴青質防水接着剤１８と組み合わせて用いるのが好適である。
【００２０】
公知の防水感圧接着剤材料を用いることができ、適切には、例えば歴青質接着剤、ゴム改質歴青質接着剤、非歴青質合成接着剤（例えばスチレン−イソプレン−スチレン、スチレン−ブタジエンゴム、エチレンとプロピレンとジエンのモノマーから作られたゴム）、またはそれらの混合物などを前記防水片１２の主要面のいずれかまたは両面で用いてもよい。通常の防水接着層もしくは片（ｌａｙｅｒ  ｏｒ  ｓｔｒｉｐ）１８を例えばプラスチックフィルムに被覆または積層することで防水片部材１２を得てもよく、そしてこれを前記防水片１２の一方の縦方向縁（１４）から他方の縁（１６）に伸びる連続層として提供してもよい。
【００２１】
前記防水接着層１８を保護する目的で剥離ライナーシート１９（これはシリコン被覆もしくはワックス被覆紙もしくはプラスチックで作られていてもよい）を用い、これを取り付け直前に例えば剥がすことなどで取り除くか或は排水具１０を巻き戻してブロック６の取り付けながら剥がす。
【００２２】
図１に、また、典型的な排水用生地部材２０を前記防水片１２の１番目の面（従って、取り付け時に上に位置する）に面するように位置させることも示す。この排水用生地部材２０に、好適には、前記片１２と一緒に縦方向に伸びる一般にシートまたはシート様（即ち平らで巻き取り可能）の形態を持たせる。この排水用生地部材２０に持たせる幅は前記片１２の幅と同じか或はそれよりも狭くてもよい。この示す典型的な排水用生地部材２０は生地、好適には不織生地の片を含んで成り、これの目的は、水が（後で取り付ける）メイソンリーブロックの内側空洞部から出て行くことを可能にすると同時に埃、くずまたはモルタル（後で取り付けるメイソンリーブロック層の空洞部の中に落下して入り込む）による詰まりが起こらないようにすることにある。好適な不織生地は重質フェルトまたはスパンボンデッド（ｓｐｕｎｂｏｎｄｅｄ）ポリオレフィンまたはポリエステル、例えばソイルフィルターファブリック（ｓｏｉｌ  ｆｉｌｔｅｒ  ｆａｂｒｉｃｓ）およびゲオテキスタイル（ｇｅｏｔｅｘｔｉｌｅｓ）などで用いられる種類の不織生地である。生地の厚みを、この生地の密度に応じて、好適には１−３ミルより厚くする。生地は厚ければ厚いほどそして／または重ければ重いほど好適である、と言うのは、このことは排水用生地部材２０の排水能力が向上しかつ当該生地がモルタルが前記生地の上に落下することが起こった時でも水を排出する機能を持続し得ることを意味するからである。従って、不織生地に例えば１３６ｇ／ｍ2（４オンス／平方ヤード）から２７０ｇ／ｍ2（８オンス／平方ヤード）の重量を持たせてもよい。この排水用生地部材２０を好適には前記防水片部材１２の上表面に接着（接着剤または糊で−示していない）、溶融結合または他の様式で付着させる（それらの間に相対的な移動が起こらないように）。
【００２３】
前記メイソンリーブロック排水システム１０にまた水抜き用部材３０も少なくとも１つ、好適には間隔を置いて位置する複数の水抜き用部材も含め、これを前記排水用生地部材２０と伝達状態にして、これが前記防水片部材１２の縦方向に伸びる縁１６を越えて伸びるようにする。この水抜き用部材３０の機能は、前記排水用生地部材２０が集めた水がメイソンリーブロック空洞部８から離れた位置、例えばブロック６の外側面のある位置などに流れ出ることを可能にする水路を与えることにある。典型的な水抜き用部材は、水路（ｃｏｎｄｕｉｔ  ｃｈａｎｎｅｌ）を有するか或はそれを限定している一般に細長い本体を有し、この本体は、前記片部材１２から遠ざかるように、前記縦方向に伸びる縁１６から離れるように伸びている。好適には多数の水抜き用部材３０を用い、これらを前記メイソンリーブロック排水具１２の縁に沿って間隔を置いて位置させる。
【００２４】
便利さの目的で、前記水抜き用部材３０と排水用生地部材２０を同じ生地シートから一体的に成形してもよい（図１に示すように）。これは、単に、織り生地または不織生地シート２０の縦方向に伸びる縁１４から一部を切り取ることで前記具１０をブロック６の空洞部８の上に適切に置いた時にメイソンリーブロックの最外縁の縁に至るような形状に広がる水抜き用部材３０を生じさせることを通して実施可能である。場合により、この水抜き用部材３０の上および／または下に生地片、ロープ、管組織、排水コアまたは他の水路を位置させてもよい。前記水抜き用部材３０自身をまた個別片として付着させることも可能であり、例えば厚い生地片（好適には不織）、ロープ、コード、または他の多孔質部材を、これが前記縦方向に伸びる防水片縁１６に沿って間隔を置いて位置するように、排水用生地部材２０の縁の上に位置させることなどで付着させてもよく、そのようにすると結果として水は前記排水用生地部材２０から出てメイソンリーブロック６層の外側位置に排出され得る。場合により、次に付着させるモルタルおよび／またはブロックが原因で起こる崩壊に対抗する目的で、前記水抜き用部材の上に波形片または他の支持構造物を位置させることも可能である。
【００２５】
他の典型的なメイソンリーブロック排水システム１０では、次の層のメイソンリーブロックを取り付ける時にモルタルセメントを防水片１２の（上に向いた）縦方向に広がる２番目の面の縁２２と２４の所（部分的に露出しているメイソンリーブロック６の上、そしてまた、部分的に露出している防水片の上方面の上）に付着させることができるように、防水片１２の２番目の面（上方に位置するように示す）の上に２番目の防水接着剤を位置させてもよい。この２番目の防水接着剤の組成は前記１番目の防水接着剤１８のそれに類似していてもよく、これは、これの上にモルタルを付着させて硬化させる時に機械的結合を形成する働きをし得る。この２番目の防水接着剤を前記防水片１２の２番目の主要面に付着させる時、これが前記２番目の面の全部を覆うようにか或は前記面の一部のみ［縦方向に伸びる上方に向いた外側縁（２２および２４で示す如き）に沿って］を覆うような様式でそれを付着させてもよい。この２番目の防水接着剤は好適には層４０（図２参照）の形態であり、これに前記接着剤を保護する任意の保護被膜４２、例えば弾性重合体層などを持たせてもよい。前記接着剤と被覆層は、両方とも、それらに接触させて位置させて硬化させる新鮮なモルタルと結合する働きをし得る。そのような保護被覆層４２をコンクリートおよびモルタルとの結合で用いられる歴青質接着剤層および非歴青質合成接着剤層の上に位置させて用いることは本技術分野で公知でＣｏｇｌｉａｎｏの米国特許第４，９９４，３２８号、Ｂａｒｔｌｅｔｔ他の米国特許第５，３１６，８４８号およびまたＢａｒｔｌｅｔｔ他の米国特許第５，４９６，６１５号（これらは全部引用することによって全体が本明細書に組み入れられる）に教示されている。
【００２６】
図２の断面図に示すように、典型的なメイソンリーブロック排水システム１０をこれが鉛直ブロック空洞部８の上に来るようにメイソンリーブロック６に接着させる。１番目の防水接着層１８を伴う防水片部材１２が有する縦方向に伸びる縁から縁の幅は鉛直空洞部８の幅より若干広くなければならない（好適には、メイソンリーブロック６の幅よりも狭くする）。前記排水用生地部材２０の片幅は、好適には、露出していて上方に向いている防水片部分２２および２４の所で用いる２番目の防水接着剤４０がメイソンリーブロック６の外側上面に後で取り付けるモルタル６０と結合することが可能なように、前記防水片１２の幅よりも狭くする（必ずしもそのようにする必要はないが）［説明を簡潔にする目的で、モルタルセメント６０で覆う部分は１つの縁２２のみであるように示す］。
【００２７】
図２に示すように、水抜き用部材３０は、好適には、前記防水片１２の縦方向に伸びる縁に沿ってそれを越えて伸びており、それによって、これは浸透水を排水用生地部材２０から排出させて前記水をメイソンリーブロック６の縁を越えた位置にまで導く水路として機能する。モルタル６０をブロック６の上表面および２番目の防水接着剤４０（好適には弾性重合体被膜４２で保護されている）の上の上方に向いている２つの部分２２および２４に付着させた後、別のメイソンリーブロック層を前記メイソンリーブロック６の上の適切な場所に位置させてもよい。
【００２８】
前記２番目の防水接着剤４０および任意の保護被膜４２［これを２２および２４の所に付着させる（図２参照）］はモルタルと結合する働きをしかつこれが防水片１２の上方面の縁に沿って接着するように示す。
【００２９】
典型的なさらなるメイソンリー排水具１０を図３に示す。２番目の防水接着層４０、好適には非歴青質の合成感圧接着剤、例えばスチレン−イソプレン−スチレン（ＳＩＳ）などを、防水片１２の上に向いた面を横切る連続層として取り付けてもよく、従って、これを排水用生地部材２０を付着させる目的で用いる。場合により、この２番目の防水接着層４０を外側縁部分２２および２４の方が厚くなるようにして、そのような場所（例えば２２および２４）に付着させて硬化させる新鮮なメイソンリーセメントとの機械的結合が生じ易くすることも可能であるが、これは必ずしも必要でないかもしれない。図３に示す典型的な水抜き用部材３０は個別の生地片から生じさせたものであり、これを排水用生地部材２０の上部を横切るように位置させるが、これは、排水用生地部材２０から防水片１２の縁を越えそしてブロック６を越えてメイソンリーブロック空洞部８の外側の位置に至る水路を与える目的にとって充分であると考えている。
【００３０】
図４に本発明の別の典型的なメイソンリーブロック排水具１０を示し、この場合の排水用生地部材２０は開放コア支持部材（ｏｐｅｎ  ｃｏｒｅ  ｓｕｐｐｏｒｔ  ｍｅｍｂｅｒ）２０Ｂに支持されている生地シート２０Ａを含んで成る。このシートは好適には不織生地であり、そして前記開放コア支持部材は好適にはくぼみ、例えばフラスト−コニカル（ｆｒｕｓｔｏ−ｃｏｎｉｃａｌ）円錐形の突起物を有するプラスチックシート（例えばポリプロピレンまたはポリエチレン）を含んで成り、これに生地シート２０Ａがシート２０Ｂから離れた場所で接着している。そのような開放コアマトリックス（ｍａｔｒｉｘ）は、好適には、水が２つの方向、即ち排水用生地部材２０に沿った縦方向とそれを横切る横方向の両方に流れることを可能にするものである。そのような生地とコアシートの組み合わせ（２０Ａ／２０Ｂ）は商業的に入手可能であり、例えばＧｒａｃｅ  Ｃｏｎｓｔｒｕｃｔｉｏｎ  Ｐｒｏｄｕｃｔｓ（ケンブリッチ、マサチュウーセッツ州）から商標ＨＹＤＲＯＤＵＣＴRの下で入手可能である。このような商業的排水製品（ｄｒａｉｎａｇｅ  ｐｒｏｄｕｃｔ）はロール形態で供給可能である。そのような排水フィルター部材（ｄｒａｉｎａｇｅ  ｆｉｌｔｅｒ  ｍｅｍｂｅｒ）を１つの縁に沿って裁断して水抜き用部材を生じさせてもよいか、或は前記ＨＹＤＲＯＤＵＣＴ（商標）複合製品から切り取った片の形態の水抜き用部材を取り付け現場で加えることも可能である。いろいろな複合排水ユニット（ｄｒａｉｎａｇｅ  ｕｎｉｔｓ）が知られていて、例えば米国特許第３，６５４，７６５号、３，８１２，００１号、４，１０２，７２０号、４，５７２，７００号、４，５７４，５４１号、４，６１４，０００号、４，６３１，２２１号、４，６６２，７７８号、４，７３３，９８９号および４，９４３，１８５号（これらは全部引用することによって本明細書に組み入れられる）に教示されている。
【００３１】
そのような排水フィルター生地（ｄｒａｉｎａｇｅ  ｆｉｌｔｅｒ  ｆａｂｒｉｃ）２０Ａはまた不織生地であってもよく、これを、図５の縦方向断面図に示すように、波形プラスチックシート１２Ｂ（ボール紙に類似）で前記防水片から離して位置させる。水抜き用部材３０は同じ生地／波形材料からフィルター／シート材料２０Ａ／２０Ｂとして一体式に成形可能である。
【００３２】
図５はまた典型的な態様も示しており、この態様における１番目の防水接着剤１８と２番目の防水接着剤４０は片の形態であってもよく、これらを防水片１２の縦方向に伸びる縁に沿って位置させる。このような接着剤１８／４０を剥がすことができる剥離シート片（示していない）で保護してもよく、それを取り付け時に剥がす。生地２０Ａと任意の開放コア２０Ｂを含んで成る排水部材２０を、この部材２０の相対的な移動を防止する目的で、水抜き用部材３０が一方の側で接着剤４０の中に埋め込まれるように敷いてもよい。この場合には、前記開放コア構造物が、前記水抜き用部材内の生地が後で付着させるモルタルで遮断されることがないようにしている。
【００３３】
図６は本発明の別の典型的な排水具１０の断面図であり、この場合には、防水片１２に好適には生地層、好適には不織生地層を持たせて、これらを主要面の両方に位置させる。排水用生地部材２０として用いる不織生地は、相対する主要面に付着させる不織生地の材料と同じ材料から作成可能であり、これを、メイソンリーブロック６の空洞部８の上に防止シールを与えるキーイング構造物１８として用いる。この示す典型的な排水具１０を取り付ける時、メイソンリーブロック６層の上にモルタルセメントの層（６０）を鉛直に伸びる空洞部８を取り巻くように付着させた後、前記具１０を巻き戻して前記モルタルセメント６０の上に付着させ（そしてその中に埋め込み）、そして次に、１つ以上の水抜き用部材３０（これもまた同じ不織材料から作られていてもよい）を前記具１０の上部に位置させる［前記水抜き用部材を前記排水フィルター部材２０と同じシートから一体式に成形するならば取り付け現場における労力が温存される］。次に、モルタルの２番目の層（６０Ｂ）をメイソンリーブロック６の上部および排水用生地部材２０の外側縁に付着させる。前記モルタル（６０および６０Ｂ）は前記不織生地（これを好適には通常の防水接着剤で前記防水片１２に接着させておくか或は前記片の中に埋め込んでおく）と結合し、従って、前記具１０は下に位置するメイソンリーブロック６の鉛直に伸びる空洞部８の中に入って来る水を逸らす機能を果たす。
【００３４】
典型的なさらなるキーイング構造物は、生地（例えば不織）に加えて、繊維または「ファズ（ｆｕｚｚ）」（これは前記防水片１２に付着していてもよいか或はそれと一体式であってもよい）の使用、または更に、モルタルをつなぎ止める（ｋｅｙ  ｗｉｔｈ）に充分な表面粗さの使用も包含する。そのような「キーイング」構造物は防水技術で公知であり、本発明で意図する如き新しく付着させるモルタルと結合するに適切であると考えている。
【００３５】
図７は、モルタルブロックの空洞（８）部分の上に取り付けた本発明の典型的なメイソンリーブロック排水システム１０の上面図である。この排水用生地２０Ａを、好適には、防水片１２（また説明の目的でより狭く示す）の幅よりも狭い幅を有するように示す。典型的な水抜き用部材、例えば３０で示す如き部材は、ＨＹＤＲＯＤＵＣＴ（商標）ブランドの排水製品［カスペーテッドコア（ｃｕｓｐａｔｅｄ  ｃｏｒｅ）に接着しているソイルフィルターファブリック］の反転片（ｉｎｖｅｒｔｅｄ  ｓｔｒｉｐｓ）を含んで成っていてもよく、これを、これが前記具１０の縦方向に伸びる縁１６を横切ってメイソンリーブロックの縁を越えて伸びるように敷く。
【００３６】
この上に示した実施例は単に説明の目的で示すものであり、請求する如き本発明の範囲を限定することを意図するものでない。
【図面の簡単な説明】
【図１】  図１は、内部の鉛直空洞部を有するメイソンリーブロックの上部に付着させるように設計した本発明の典型的なメイソンリーブロック排水システムの透視図である。
【図２】  図２は、図１に示した典型的なメイソンリーブロック排水システムをメイソンリーブロックの上部の適切な位置に接着させた時の断面図である。
【図３−６】  図３−６は、本発明の他の典型的なメイソンリーブロック排水システムを示す断面図である。
【図７】  図７は、本発明の典型的なメイソンリーブロック排水システムを示す上面図である。
【図１】
0004362234.tif 000002
【図２】
0004362234.tif 000003
【図３】
0004362234.tif 000004
【図４】
0004362234.tif 000005
【図５】
0004362234.tif 000006
【図６】
0004362234.tif 000007
【図７】
0004362234.tif 000008